(57)【要約】【課題】抽選の処理機能を向上することができる携帯通信端末、通信方法及びそのプログラムを提供する。【解決手段】送信者側の携帯通信端末を特定可能な送信者情報を含むデータを受信する受信部１３と、受信部１３により受信された送信者情報に基づいて特定される送信者携帯通信端末を対象に、所定の抽選規則に基づいて抽選を実施する抽選実施部６と、抽選実施部により実施された抽選結果を特定の送信者情報に基づいて送信者携帯通信端末に対して送信する送信部２３と、を有する。【選択図】図１
2008078742.tif 000002
【特許請求の範囲】
【請求項１】
送信者側の携帯通信端末を特定可能な送信者情報を含むデータを受信する受信部と、
該受信部により受信された前記送信者情報に基づいて特定される送信者携帯通信端末を対象に、所定の抽選規則に基づいて抽選を実施する抽選実施部と、
該抽選実施部により実施された抽選結果を前記特定の送信者情報に基づいて前記送信者携帯通信端末に対して送信する送信部と、を有することを特徴とする携帯通信端末。
【請求項２】
前記抽選実施部は、前記送信者携帯通信端末に加えて自端末を前記抽選の対象に含めて抽選を実施可能に構成されていることを特徴とする請求項１に記載の携帯通信端末。
【請求項３】
前記抽選実施部は、前記抽選結果に基づいて前記送信者携帯通信端末の順位を決定する順位決定部を有することを特徴とする請求項１又は２に記載の携帯通信端末。
【請求項４】
前記抽選実施部は、所定時間内に受信した前記所定の送信者情報に対応する前記送信者携帯通信端末を前記抽選の対象とすることを特徴とする請求項１乃至請求項３のいずれか一項に記載の携帯通信端末。
【請求項５】
前記抽選実施部は、前記送信者情報に応じて前記抽選規則を変更する抽選規則変更部を有することを特徴とする請求項１乃至請求項４のいずれか一項に記載の携帯通信端末。
【請求項６】
前記送信部は、前記抽選結果を前記送信者携帯通信端末に対して自動送信可能に構成されていることを特徴とする請求項１乃至請求項５のいずれか一項に記載の携帯通信端末。
【請求項７】
前記送信部は、前記抽選結果に応じて送信規則を変更する送信規則変更部を有することを特徴とする請求項１乃至請求項６のいずれか一項に記載の携帯通信端末。
【請求項８】
前記送信部は、前記抽選結果と共に該抽選結果に応じた所定の報知情報を前記送信者携帯通信端末に対して送信可能に構成されていることを特徴とする請求項１乃至請求項７のいずれか一項に記載の携帯通信端末。
【請求項９】
前記送信部は近距離通信可能な近距離送信部を有すると共に、前記受信部は近距離通信可能な近距離受信部を有し、
前記近距離受信部は、前記送信者携帯通信端末から送信された前記送信者情報を受信可能に構成され、
前記近距離送信部は、前記抽選結果を前記送信者携帯通信端末に対して送信する、ことを特徴とする請求項１乃至請求項８のいずれか一項に記載の携帯通信端末。
【請求項１０】
送信者側の携帯通信端末を特定可能な所定の送信者情報を含むデータを受信し、
該受信した前記送信者情報のうち特定の送信者情報から特定される送信者携帯通信端末を対象に、所定の抽選規則に基づいて抽選を実施し、
該実施した抽選の抽選結果を前記特定の送信者情報に基づいて前記送信者携帯通信端末に対して送信する、ことを特徴とする抽選方法。
【請求項１１】
複数の携帯通信端末を使用して抽選を実施するプログラムであって、
送信者側の携帯通信端末を特定可能な所定の送信者情報を含むデータを受信部より受信する受信ステップと、
前記受信部より受信した前記送信者情報のうち特定の送信者情報から特定される送信者携帯通信端末を対象に、所定の抽選規則に基づいて抽選を実施する抽選ステップと、
該抽選ステップにより得られた抽選結果を前記特定の送信者情報に基づいて前記送信者携帯通信端末に対して送信部より送信する送信ステップと、を実行可能に構成されていることを特徴とするプログラム。
【請求項１２】
互いに通信可能な複数の携帯通信端末を備えた通信システムであって、
前記複数の携帯通信端末は、所定の送信者情報を含むデータを送信する第１携帯通信端末と、
前記送信者情報を含むデータを受信し、該受信した前記送信者情報のうち特定の送信者情報から特定される送信者携帯通信端末を対象に所定の抽選規則に基づいて抽選を実施し、該実施した抽選の抽選結果を前記特定の送信者情報に基づいて前記送信者携帯通信端末に対して送信部より送信する第２受信側の携帯通信端末と、を有することを特徴とする通信システム。
【発明の詳細な説明】
【技術分野】
【０００１】
本発明は、携帯通信端末、抽選方法、そのプログラム及び通信システムに関するものである。
【背景技術】
【０００２】
従来から、通信網にそれぞれ接続された情報提供端末および顧客端末を有し、情報提供端末からの提供情報を記憶しておき、この提供情報を顧客端末から聴視してメールを送り、このメールに対して返信メールを送信する抽選機能付きメール装置が知られている（例えば、特許文献１参照）。
【特許文献１】特開平３−１４３１３６号公報
【発明の開示】
【発明が解決しようとする課題】
【０００３】
ところで、上述の抽選機能付きメール装置は、顧客端末と通信網を介して接続されるメール装置にて抽選を実施することになるため、顧客端末は外部サーバーからなるメール装置に必ずアクセスしなければならず、また、メール装置が無ければ抽選を実施することができなかった。したがって、処理に時間がかかり、処理がわずらわしいという問題があった。
【０００４】
そこで、本発明は、上述の事情に鑑みてなされたものであり、抽選の処理機能を向上することができる携帯通信端末、抽選方法、そのプログラム及び通信システムを提供するものである。
【課題を解決するための手段】
【０００５】
上記の課題を解決するために、請求項１に記載した発明は、送信者側の携帯通信端末を特定可能な送信者情報を含むデータを受信する受信部と、該受信部により受信された前記送信者情報に基づいて特定される送信者携帯通信端末を対象に、所定の抽選規則に基づいて抽選を実施する抽選実施部と、該抽選実施部により実施された抽選結果を前記特定の送信者情報に基づいて前記送信者携帯通信端末に対して送信する送信部と、を有することを特徴とする。
【０００６】
請求項２に記載した発明は、前記抽選実施部は、前記送信者携帯通信端末に加えて自端末を前記抽選の対象に含めて抽選を実施可能に構成されていることを特徴とする。
【０００７】
請求項３に記載した発明は、前記抽選実施部は、前記抽選結果に基づいて前記送信者携帯通信端末の順位を決定する順位決定部を有することを特徴とする。
【０００８】
請求項４に記載した発明は、前記抽選実施部は、所定時間内に受信した前記所定の送信者情報に対応する前記送信者携帯通信端末を前記抽選の対象とすることを特徴とする。
【０００９】
請求項５に記載した発明は、前記抽選実施部は、前記送信者情報に応じて前記抽選規則を変更する抽選規則変更部を有することを特徴とする。
【００１０】
請求項６に記載した発明は、前記送信部は、前記抽選結果を前記送信者携帯通信端末に対して自動送信可能に構成されていることを特徴とする。
【００１１】
請求項７に記載した発明は、前記送信部は、前記抽選結果に応じて送信規則を変更する送信規則変更部を有することを特徴とする。
【００１２】
請求項８に記載した発明は、前記送信部は、前記抽選結果と共に該抽選結果に応じた所定の報知情報を前記送信者携帯通信端末に対して送信可能に構成されていることを特徴とする。
【００１３】
請求項９に記載した発明は、前記送信部は近距離通信可能な近距離送信部を有すると共に、前記受信部は近距離通信可能な近距離受信部を有し、前記近距離受信部は、前記送信者携帯通信端末から送信された前記送信者情報を受信可能に構成され、前記近距離送信部は、前記抽選結果を前記送信者携帯通信端末に対して送信する、ことを特徴とする。
【００１４】
請求項１０に記載した発明は、送信者側の携帯通信端末を特定可能な所定の送信者情報を含むデータを受信し、該受信した前記送信者情報のうち特定の送信者情報から特定される送信者携帯通信端末を対象に、所定の抽選規則に基づいて抽選を実施し、該実施した抽選の抽選結果を前記特定の送信者情報に基づいて前記送信者携帯通信端末に対して送信する、ことを特徴とする。
【００１５】
請求項１１に記載した発明は、複数の携帯通信端末を使用して抽選を実施するプログラムであって、送信者側の携帯通信端末を特定可能な所定の送信者情報を含むデータを受信部より受信する受信ステップと、前記受信部より受信した前記送信者情報のうち特定の送信者情報から特定される送信者携帯通信端末を対象に、所定の抽選規則に基づいて抽選を実施する抽選ステップと、該抽選ステップにより得られた抽選結果を前記特定の送信者情報に基づいて前記送信者携帯通信端末に対して送信部より送信する送信ステップと、を実行可能に構成されていることを特徴とする。
【００１６】
請求項１２に記載した発明は、互いに通信可能な複数の携帯通信端末を備えた通信システムであって、前記複数の携帯通信端末は、所定の送信者情報を含むデータを送信する第１携帯通信端末と、前記送信者情報を含むデータを受信し、該受信した前記送信者情報のうち特定の送信者情報から特定される送信者携帯通信端末を対象に所定の抽選規則に基づいて抽選を実施し、該実施した抽選の抽選結果を前記特定の送信者情報に基づいて前記送信者携帯通信端末に対して送信部より送信する第２受信側の携帯通信端末と、を有することを特徴とする。
【発明の効果】
【００１７】
本発明によれば、携帯通信端末の端末内にて抽選を行うことができるため、携帯通信端末の利便性が向上すると共に、抽選の処理機能を向上することができる効果がある。
【発明を実施するための最良の形態】
【００１８】
（第一実施形態）
次に、本発明の第一実施形態を図１〜図６に基づいて説明する。ここで説明する実施形態は、本発明を携帯電話機に適用した場合のものである。
図１は、本実施形態における携帯電話機の機能構成を示すブロック図である。図１に示すように、携帯電話機１０は、操作部１、表示部２、通信部３、記憶部４、タイマー５、抽選実施部６及び主制御部７を備えている。
【００１９】
操作部１は、複数の操作キーを備え、操作キーにより操作者からの電話発信や電子メールの編集・送信、ＵＲＬ接続などの各種操作指示を受け付け、操作者の操作指示内容に応じた信号を主制御部７に出力する。また、操作部１は、抽選を行う際の各種設定及び抽選実行指示を受付可能に構成されている。
【００２０】
表示部２は、表示制御部２ａとディスプレイ２ｂとを有している。表示制御部２ａは、主制御部７による制御の下にディスプレイ２ｂに表示すべき画像信号を生成してディスプレイ２ｂに出力し、ディスプレイ２ｂは、表示制御部２ａから出力される画像信号に基づいて各種画像（文字など）を表示する。ここで、ディスプレイ２ｂは、ＬＣＤ（Ｌｉｑｕｉｄ  Ｃｒｙｓｔａｌ  Ｄｉｓｐｌａｙ）、有機ＥＬ（Ｅｌｅｃｔｒｏ  Ｌｕｍｉｎｅｓｃｅｎｃｅ）ディスプレイ、無機ＥＬディスプレイなどにより構成されている。また、表示部２は、抽選を行う際の各種設定内容及び抽選実行指示に基づいた内容を表示可能に構成されている。
【００２１】
通信部３は、ｂｌｕｅｔｏｏｔｈ（登録商標）により送受信可能に構成された受信部１３と、送信部２３とを有している。ここで、例えば受信部１３及び送信部２３は、携帯電話機１０の側面に設けられている。受信部１３は、受信信号を近距離受信部１３ａにより捕捉し、受信信号を主制御部７へ出力する。その際、近距離受信部１３ａは、入力した信号を増幅及び低周波化し復調して主制御部７へ出力するように構成されている。一方、送信部２３は、主制御部７から出力された送信信号を近距離送信部２３ａより空中に放射する。その際、近距離送信部２３ａは、主制御部７から出力された信号を変調し高周波化して機外へ放射するように構成されている。また、送信部２３には、抽選結果を送信する際に当選者のみ送信することや、送信順序を変更することなどの設定が可能な送信規則変更部２３ｂが備えられている。
【００２２】
記憶部４は、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、フラッシュメモリなどから構成され、各種設定値、アドレス帳、電子メール、ブックマーク、辞書データなどを記憶する。また、記憶部４は、抽選を行う際に抽選結果と共に送信することができる音楽データなどの報知情報なども記憶可能に構成されている。
【００２３】
タイマー５は、携帯電話機１０に内蔵された時計機能から構成され、抽選を行う際に抽選に参加可能な締切時刻（Ｘ時Ｙ分まで）を設定したり、抽選参加可能な時間（Ｚ分間）を設定したりすることができる。
【００２４】
抽選実施部６は、抽選アプリケーションのコンピュータプログラム（以下、抽選アプリと記載）で構成され、主制御部７に備えられているオペレーティングシステム（ＯＳ）により抽選アプリの起動、一時停止、終了などが実行可能に構成されている。また、抽選実施部６には、例えば女性の当選確率を男性よりも高く設定したり、当選人数を設定したりすることが可能な抽選規則変更部６ａと、抽選参加者が複数いる場合に順位付けをすることができる順位決定部６ｂとが備えられている。本実施形態においては、少なくとも主催者の携帯電話機１０に抽選実施部６が備えられていればよい。
【００２５】
主制御部７は、図示しない内部メモリに記憶された制御プログラムや、記憶部４に記憶された各種設定値、操作部１から入力される操作者の操作指示内容に基づいて、本携帯電話機１０の全体の動作を制御する。即ち、主制御部７は、上記制御プログラム、各種設定値及び操作指示に基づいて制御演算を行うＣＰＵ（Ｃｅｎｔｒａｌ  Ｐｒｏｃｅｓｓｉｎｇ  Ｕｎｉｔ）及び他の各部１〜６とのデータ授受を行う各種入出力インターフェース回線などから構成されており、上記各部１〜６を統括的に制御する。
【００２６】
次に、本携帯電話機１０の作用について説明する。
図２が抽選により順位決定をする際の処理の流れを示すフローチャートである。
Ｓ１では、抽選の主催者の携帯電話機１０（受信側の携帯通信端末）の操作部１に設けられた抽選開始キーを押下することで抽選が開始される。ここで、抽選開始キーは操作部１に専用ボタンとして設けてもよいし、ある特定の操作をすることで抽選開始実行のための実行キーが設定されるようにしてもよい。
【００２７】
Ｓ２では、操作部１から主制御部７を経由した抽選を実施するためのデータが、近距離送信部２３ａで変調、高周波化され、送信部２３より無線信号として発信される。
Ｓ３では、タイマー５により設定した締切時刻または抽選参加可能な時間（以下、抽選時間と記載）を設定する。ここで、タイマー５の設定は、Ｓ１を行う前に設定してもよい。また、抽選時間は予め設定した時間を用いることができる。
【００２８】
Ｓ４は、抽選参加者からの返信信号を待機する。
Ｓ５は、Ｓ３で設定した所定の締切時刻または抽選時間が経過したかどうかを判定し、所定時間経過前であればＳ４に戻り待機状態を継続する。所定の締切時刻または抽選時間を経過するとＳ６へ進む。
Ｓ６は、所定の抽選時間を経過した際に、近距離受信部１３ａに抽選参加者からの返信信号の有無について判定し、抽選参加者がいる場合には、Ｓ７へ進み、抽選参加者がいない場合には処理を終了する。
【００２９】
Ｓ７では、主制御部７により返信された抽選参加者からの返信信号に基づいて抽選に参加する携帯通信端末の総台数を確定する。このとき、主催者自身の携帯電話機１０を抽選に参加させることもできる。
Ｓ８は、主制御部７において、抽選参加者から送信されたメールアドレス情報、名前情報、年齢情報及び性別情報などの送信者情報を確認する。
【００３０】
Ｓ９では、抽選実施部６の抽選規則変更部６ａにおいて、抽選規則を決定する。ここで、抽選規則については、抽選開始（Ｓ１）前に予め設定することも可能である。抽選規則とは、当選確率を女性の方が男性より有利にしたり、年齢によって当選確率を変更したり、当選人数を設定したりすることである。
【００３１】
ここで、抽選規則変更部６ａによる抽選規則の変更例を説明する。例として１０人で抽選を行う場合を想定する。
（１）各人の当選確率を均等にする場合は、一人の当選確率は１／１０となる。
（２）１０人中男性がＸ（人）、女性が１０−Ｘ（人）であり、女性の当選確率が男性の当選確率の２倍になるように設定し、男性の当選確率をａ、女性の当選確率を２ａとする。
この場合、以下の式が成り立つ。
Ｘ＊ａ＋（１０−Ｘ）＊２ａ＝１
ａ＝１／（２０−Ｘ）
つまり、男性の当選確率：  ａ＝１／（２０−Ｘ）
女性の当選確率：２ａ＝２／（２０−Ｘ）  となる。
【００３２】
Ｓ１０は、抽選規則変更部６ａの設定内容により抽選実施部６の順位決定部６ｂにて順位決めの抽選を抽選アプリに基づいて行う。抽選は、「１番」〜「抽選参加総台数Ｎの番号」までの数字の中から乱数にて一台ずつ決めていく。
Ｓ１１は、Ｓ１０ですでに乱数で決定された数を抽選参加総台数Ｎから外す。
Ｓ１２は、抽選未了の携帯電話機の台数を確認し、残り台数が０台でない場合には、Ｓ１０へ戻り、抽選を継続し、残り台数が０台になるとＳ１３へ進む。
Ｓ１３は、抽選実施部６の順位決定部６ｂにより順位が確定される。
【００３３】
Ｓ１４は、抽選結果を主催者以外の携帯電話機に送信することになっているかどうかを判断する。抽選結果を送信することになっている場合にはＳ１５へ進み、送信することになっていない場合にはＳ１６へ進む。
Ｓ１５では、抽選参加者に抽選結果を送信する際に、記憶部４に保存された当選か落選かを表現する音楽データや画像データなどの報知情報を添付することになっているかどうかを判断し、添付することになっていない場合にはＳ１７へ進み、添付することになっている場合にはＳ１８へと進む。
【００３４】
Ｓ１６では、主催者の携帯電話機１０のディスプレイ２ｂにのみ抽選結果を表示し、処理を終了する。この場合、主催者が抽選参加者に口頭などで抽選結果を伝達することとなる。
Ｓ１７では、主催者の携帯電話機１０の送信部２３から抽選結果の情報を参加者の携帯電話機に送信し、処理を終了する。抽選参加者は、自身の携帯電話機に送信された抽選結果をディスプレイにて確認することとなる。
Ｓ１８では、主催者の送信部２３から抽選結果及び報知情報を参加者の携帯電話機に送信し、処理を終了する。抽選参加者は、自身の携帯電話機に送信された抽選結果をディスプレイ及び抽選結果を知らせる音楽などにて確認することとなる
【００３５】
次に、５台の携帯電話機を用いて抽選により順位決定をする場合の具体的な説明を行う。
図３に示すように、５台の携帯電話機１０，２０，３０，４０，５０は、各電話機本体の側面にｂｌｕｅｔｏｏｔｈ（登録商標）により送受信可能な受信部１３と送信部２３とからなる通信部３が設けられている。なお、通信部３は各電話機本体の側面以外の位置に設けられていてもよい。ｂｌｕｅｔｏｏｔｈ（登録商標）の特性上、各携帯電話機は近距離の範囲内（通信可能範囲内）に配置されていればよい。上述のように配置された５台の携帯電話機で抽選を行う。
主催者の携帯電話機１０（受信側の携帯通信端末）の抽選開始キーを押下することで、携帯電話機１０の送信部２３から抽選信号が発信される。
【００３６】
主催者の携帯電話機１０からの抽選信号を受け取った携帯電話機２０,３０，４０，５０（送信側の携帯通信端末）は、自身のプロフィール情報（送信者情報）を主催者の携帯電話機１０へ発信する。携帯電話機１０は、タイマー５により設定されている所定時間を経過すると、返信のあった携帯電話機のプロフィール情報を確定し、抽選に参加する携帯電話機の総台数を確定させる。
総台数が確定されると、設定された抽選規則にしたがって抽選を実施する。順位を決定する際には、乱数による抽選を行い、「１番」から「抽選に参加する総台数の番号（本実施形態においては５番）」までの数字（整数）を携帯電話機毎に異なる一つの数字が割り当てられるようにする。順位が確定すると、主催者の携帯電話機１０に抽選結果がディスプレイ２ｂに表示される。
【００３７】
抽選結果を主催者の携帯電話機１０のディスプレイ２ｂに表示するだけの場合は、処理を終了し、主催者が口頭などにより決定した順位を抽選参加者に対して発表することとなる。
また、図４に示すように、抽選に参加した全ての携帯電話機に抽選結果を送信する設定になっている場合には、自動的に主催者のディスプレイ２ｂに表示されている内容が送信部２３から送信され、各携帯電話機で決定した順位を確認することができる。
また、図５に示すように、例えば抽選結果により上位２名のみ選出して結果を通知する設定になっている場合には、該当する上位２名のみに自動的に選出された旨の内容が送信され、結果を確認することができる。
更に、本実施形態において、確定した順位を携帯電話機の外面に設けられているサブディスプレイに順位のみを表示するようにしてもよい。
【００３８】
次に、抽選の変形例として「当たり」か「はずれ」か、を決定する場合の説明をする。
図６は、抽選により「当たり」か「はずれ」を決定する際の処理の流れを示すフローチャートである。
図６に示すように、順位決定をする際の図２のフローチャートとＳ２１の抽選実施部６での抽選処理以外は同じであるため、詳細の説明を省略する。
Ｓ２１では、抽選アプリに基づいて抽選を実施する。このとき携帯電話機毎に「１」か「０」か、を乱数により決定する。「１」が当たりとする場合には、「１」が出る確率が当選確率と同じになるように設定される。ここで、Ｓ９の抽選規則により、例えば男性と女性の当選確率を異なる設定にすることもできる。全ての抽選参加者の抽選が終了するとＳ１１に進む。
【００３９】
抽選結果を主催者の携帯電話機１０のディスプレイ２ｂに表示するだけの場合は、処理を終了し、主催者が口頭などにより決定した順位を抽選参加者に対して発表することとなる。
また、抽選に参加した全ての携帯電話機に抽選結果を送信する設定になっている場合には、自動的に主催者のディスプレイ２ｂに表示されている内容が送信部２３から送信され、各携帯電話機で決定した順位を確認することができる。
また、例えば抽選結果により２名のみ「当たり」となる場合には、該当する２名のみに自動的に当たった旨の内容が送信され、結果を確認することができる。
更に、確定した結果を携帯電話機の外面に設けられているサブディスプレイに「当たり」または「はずれ」のみを表示するようにしてもよい。
【００４０】
したがって、上述の実施形態によれば、ｂｌｕｅｔｏｏｔｈ（登録商標）による無線通信機能を用いて抽選をすることができる構成とした。このように構成することで、携帯電話機のみで抽選を行うことができる。また、外部サーバーを介さずに近距離通信により抽選を実施することができるため、特に仲間どうしで抽選を行いたい場合に、短時間で容易に抽選を実施することができる。また、ｂｌｕｅｔｏｏｔｈ（登録商標）を採用することで、指向性の自由度があるため、通信可能範囲内に配置さえすれば抽選に参加することができる。更に、抽選アプリは主催者の携帯電話機１０に備えられていればよく、抽選に参加する携帯電話機は通信機能のみ備えられていればよいため、容易に抽選を実施することができる。結果として、抽選の処理機能を向上することができる。
【００４１】
（第二実施形態）
次に、本発明の第二実施形態を図７〜図１４に基づいて説明する。なお、第一実施形態と同じ構成の箇所については、同一部分に同一符号を付して詳細な説明を省略する。
図７に示すように、本実施形態における携帯電話機の機能構成を示すブロック図は第一実施形態と略同様であり、携帯電話機１１０は、操作部１、表示部２、通信部３３、記憶部４、タイマー５、抽選実施部６及び主制御部７を備えている。第一実施形態と詳細な構成が異なるのは通信部３３のみであるため、通信部３３以外の詳細の説明は省略する。
本実施形態における通信部３３は、赤外線により送受信可能に配置された受信部１３と、送信部２３とで構成されている。ここで、受信部１３及び送信部２３は、携帯電話機１０の両側面に設けられている。受信部１３及び送信部２３の機能は、第一実施形態と同様である。
また、本実施形態において、抽選実施部６は抽選に参加する全ての携帯電話機に備えられている。
【００４２】
次に、５台の携帯電話機を用いて抽選により順位決定をする場合の具体的な説明を行う。
図８に示すように、５台の携帯電話機１１０，１２０，１３０，１４０，１５０は、各電話機本体の両側面に赤外線により送受信可能な受信部１３と送信部２３とからなる通信部３３が設けられている。赤外線の特性上、各携帯電話機の相対する受信部１３と送信部２３とがお互い向き合うように各端末を並べる。上述のように配置された５台の携帯電話機で抽選を行う。
主催者の携帯電話機１１０（受信側の携帯通信端末）の抽選開始キーを押下することで、携帯電話機１１０の送信部２３から抽選信号が発信される。このとき、主催者の携帯電話機１１０は５台の端に配置されている。
【００４３】
図９に示すように、主催者の携帯電話機１１０からの抽選信号を受け取った携帯電話機１２０（送信側の携帯通信端末）は、抽選信号を受け取った側とは反対側の送信部２３より同様の抽選信号を発信する。その際に、２台目という情報を同時に発信する。また、携帯電話機１２０の抽選信号を受け取った側と同じ側の送信部２３から主催者の携帯電話機１１０へ２台目が存在したことを表す信号を発信する。これは、タイムアウト防止のために行う。
抽選に参加する２台目の携帯電話機１２０が存在する信号を受信した携帯電話機１１０は、信号を受け取った側とは反対側の送信部２３による赤外線発信を取りやめる。また、抽選に参加する総台数の信号を受信するまではタイムアウトしないように設定される。
【００４４】
３台目以降の抽選信号を受け取った携帯電話機は、携帯電話機１２０と同様に抽選信号を受け取った側とは反対側の送信部２３より同様の抽選信号を発信する。その際に、Ｘ台目という情報を同時に発信する。また、抽選信号を受け取った側と同じ側の送信部２３からＸ台目が存在したことを表す信号を発信する。これは、タイムアウト防止のために行う。
抽選に参加するＸ台目の携帯電話機が存在する信号を受信した（Ｘ−１）台目の携帯電話機は、抽選に参加する総台数の信号を受信するまではタイムアウトしないように設定される。
【００４５】
図１０に示すように、抽選信号を受け取った側とは反対側の送信部２３より同様の抽選信号を発信したが、相手の携帯電話機が見つからずにタイムアウトした場合は、この時点で抽選に参加する総台数を確定する。本実施形態においては、５台となる。
抽選に参加する総台数が確定した後に、抽選を開始する。抽選は乱数により「１番」〜「５番」の番号を１台ずつ決定していく。このとき、５台目の携帯電話機１５０（送信側の携帯通信端末）から確定する。例えば、携帯電話機１５０が抽選アプリによる抽選の結果、「３番」になると仮定すると、携帯電話機１５０のサブディスプレイに「３番」と表示すると共に、４台目の携帯電話機１４０（送信側の携帯通信端末）に総台数情報（５台）及び携帯電話機１５０の抽選結果「３番」を送信する。
【００４６】
図１１に示すように、携帯電話機１４０は、「１番」〜「５番」の中で「３番」を除く番号を乱数により決定する。例えば、携帯電話機１４０が「２番」になると仮定すると、携帯電話機１４０のサブディスプレイに「２番」と表示すると共に、３台目の携帯電話機１３０（送信側の携帯通信端末）に総台数情報（５台）及び携帯電話機１４０，１５０の抽選結果を送信する。
上述の手順を携帯電話機１３０，１２０についても行い、主催者の携帯電話機１１０に抽選に参加した総台数情報及び抽選結果が送信される。主催者が抽選に参加する場合には、残った一つの番号が自身の抽選結果となる。全ての抽選が終了した後に、携帯電話機１１０のディスプレイには、確定した抽選結果が表示される。
【００４７】
図１２に示すように、各携帯電話機が抽選結果を送信する際に例えばメールアドレスを含む自身のプロフィール情報を添付して送信するように設定すると、図１３に示すように、主催者の携帯電話機１１０に表示された全ての抽選結果を表す画面のデータを全員にメールで送信することもできる。また、図１４に示すように、全員ではなく、例えば上位２名のみ選出するように設定されている場合には、該当する上位２名のみにメール送信することも可能である。
【００４８】
本実施形態において、抽選により「当たり」か「はずれ」を決定する際の流れも上述のように携帯電話機１５０から順番に決定するようになる。その他詳細な処理の流れは、上述と略同様のため詳細な説明は省略する。
【００４９】
したがって、上述の実施形態によれば、赤外線による無線通信機能を用いて抽選をすることができる構成とした。このように構成することで、携帯電話機のみで抽選を行うことができる。また、外部サーバーを介さずに近距離通信により抽選を実施することができるため、特に仲間どうしで抽選を行いたい場合に、短時間で容易に抽選を実施することができる。結果として、抽選の処理機能を向上することができる。
【００５０】
なお、この第二実施形態においては、抽選に参加する全ての携帯電話機に抽選実施部６が備えられている構成としたが、本実施形態はこれに限ることなく、主催者の携帯電話機にのみ抽選実施部６を持たせてやり、当該主催者の携帯電話機の抽選実施部６により行われた抽選の結果を参加する他の携帯電話機に送信する構成としてもよい。この場合、抽選に参加する携帯電話機は、図１０に示すように抽選に参加する携帯電話機の総台数が確定された後、当該総台数の情報と自身のプロフィール情報とを上述のように順々に携帯電話機に対して送信していく。主催者の携帯電話機は、当該送信されてきた総台数の情報および抽選に参加する全携帯電話機のプロフィール情報を受信する。そして主催者の携帯電話機は、当該総台数の情報に基づいて抽選を行うと共に、その抽選により得られた抽選結果を当該プロフィール情報（例えばメールアドレス）に基づいて抽選に参加する各携帯電話機に対して送信するようにしてもよい。
【００５１】
（第三実施形態）
次に、本発明の第三実施形態を図１５、図１６に基づいて説明する。なお、第一実施形態と同じ構成の箇所については、同一部分に同一符号を付して詳細な説明を省略する。
図１５に示すように、本実施形態における携帯電話機の機能構成を示すブロック図は第一実施形態と略同様であり、携帯電話機３１０は、操作部１、表示部２、通信部３３３、記憶部４、タイマー５、抽選実施部６及び主制御部７を備えている。第一実施形態と詳細な構成が異なるのは通信部３３３のみであるため、通信部３３３以外の詳細の説明は省略する。
本実施形態における通信部３３３は、アンテナ５３、無線回路部５４及び通信制御部５５を有している。アンテナ５３は、受信電波を捕捉し、受信電波を受信信号として無線回路部５４へ出力する一方、無線回路部５４から入力された送信信号を送信電波として空中に放射する。無線回路部５４は、アンテナ５３から出力された信号を増幅及び低周波化し、復調して主制御部７へ出力し、主制御部７から出力された信号を変調し、高周波化してアンテナ５３へ出力する。通信制御部５５は、所定のプロトコルに従って基地局との通信を行うように無線回路部５４を制御する。
また、本実施形態においては、少なくとも主催者の携帯電話機３１０に抽選実施部６が備えられていればよい。
【００５２】
次に、５台の携帯電話機を用いて抽選により順位決定をする場合の具体的な説明を行う。
図１６に示すように、５台の携帯電話機３１０，３２０，３３０，３４０，３５０は、各電話機本体に設けられたアンテナ５３により送受信可能に構成されている。５台の携帯電話機は、携帯電話の通信可能範囲内に配置されていればよい。
主催者の携帯電話機３１０（受信側の携帯通信端末）の抽選開始キーを押下することで、携帯電話機３１０のアンテナ５３から抽選信号が発信される。
【００５３】
主催者の携帯電話機３１０からの抽選信号は、ネットワーク６１を介して抽選に参加する者の携帯電話機（送信側の携帯通信端末）に送信される。抽選に参加する者は、携帯電話機からメールにて必要事項を送信したりするなどして、プロフィール情報を携帯電話機３１０に送信する。携帯電話機３１０は、送信されたメールを基に抽選に参加する総台数を確定させる。なお、タイマー５により設定されている所定時間を経過した後に、抽選に参加する総台数を自動的に確定させてもよい。
総台数が確定されると、抽選規則にしたがって抽選を実施する。順位を決定する際には乱数による抽選を行う。順位が確定すると主催者の携帯電話機３１０に抽選結果がディスプレイ２ｂに表示される。
【００５４】
抽選結果を主催者の携帯電話機３１０のディスプレイ２ｂに表示するのみの場合は、処理を終了し、主催者が口頭などにより決定した順位を発表することとなる。
また、抽選に参加した全ての携帯電話機に抽選結果を送信する設定になっている場合には、自動的にメールが送信され、各自で決定した順位を確認することができる。
また、例えば抽選結果により上位２名のみ選出して結果を通知する設定になっている場合には、該当する上位２名のみに自動的にメールが送信され、結果を確認することができる。
【００５５】
抽選により「当たり」か「はずれ」を決定する際の処理の流れは、順位決定をする際の処理の流れと抽選実施部６での抽選処理以外は同じであるため、詳細な説明を省略する。
抽選を実施する際に、携帯電話機毎に「１」か「０」か、を乱数により決定する。「１」が当たりとする場合には、「１」が出る確率が当選確率と同じになるように設定される。ここで、抽選規則により、例えば男性と女性の当選確率を異なる設定にすることもできる。
【００５６】
したがって、上述の実施形態によれば、携帯電波を用いて抽選をすることができる構成とした。このように構成することで、広範囲に存在する携帯電話機を対象に抽選を実施することができる。また、抽選は主催者の携帯電話機の端末内で実施することになるため、簡易に抽選を行うことができる。更に、主催者の携帯電話機に抽選実施機能を備えていればよく、容易に抽選を実施することができる。結果として、抽選の処理機能を向上することができる。
【００５７】
このように本実施形態に係る発明によると、携帯通信端末の端末内にて抽選を行うことができるため、携帯通信端末の利便性が向上すると共に、抽選の処理機能を向上することができるという効果を奏する。また、抽選の主催者（自端末の所有者）を含めて抽選を行うことができるため、仲間同士などで抽選を行うときに全員で抽選を行うことができるという効果も奏する。さらに、「当たり」、「はずれ」のみではなく、優先順位を決定することができるため、バリエーションに富んだ抽選を実行することができるという効果も奏する。
【００５８】
また、本実施形態に係る発明によると、抽選に参加する携帯通信端末を所定時間により限定することができるため、効率のよい抽選を実行することができるという効果を奏する。また、抽選の当選確率などを変更することができるため、バリエーションに富んだ抽選を実行することができる効果も奏する。さらに、抽選実行から送信までを自動的に行うことができるため、携帯通信端末の利便性が向上すると共に、抽選の処理機能を向上することができるという効果も奏する。
【００５９】
また、本実施形態に係る発明によると、送信先、送信順などを変更することができるため、バリエーションに富んだ送信方法を選択することができるという効果を奏する。また、当選の音楽などの報知情報を抽選結果と共に送信することができるため、バリエーションに富んだ抽選結果の通知をすることができる効果も奏する。さらに、外部サーバーを介さずに携帯通信端末のみで通信が可能になるため、メールアドレスなどの情報を必要とせず迅速な抽選が実行可能となり、携帯通信端末の利便性を向上することができるという効果も奏する。
【００６０】
尚、この発明は上述した実施形態に限られるものではなく、以下の態様を用いてもよい。
上記実施形態では、携帯電話機を５台使用して抽選を行う場合の説明をしたが、台数は特に拘らない。
上記実施形態において記載した抽選規則及び送信規則は一例を示したものであり、抽選方法及び送信方法についてのものであれば、上記以外の仕様の規則を採用してもよい。
また、上記実施形態においては、主催者の携帯電話機が抽選に参加する場合の説明をしたが、主催者は抽選に参加しなくてもよい。
また、上記実施形態では、携帯電話機を用いて説明をしたが、通信機能を有したＰＤＡなどの携帯通信端末に採用することができる
【図面の簡単な説明】
【００６１】
【図１】本発明の第一実施形態における携帯電話機のブロック図である。
【図２】本発明の第一実施形態における順位決めの処理の流れを示すフローチャートである。
【図３】本発明の第一実施形態における順位決めの第一ステップを示すイメージ図である。
【図４】本発明の第一実施形態における順位決めの第二ステップを示すイメージ図である。
【図５】本発明の第一実施形態における順位決めの第二ステップの変形例を示すイメージ図である。
【図６】本発明の第一実施形態における抽選処理の流れを示すフローチャートである。
【図７】本発明の第二実施形態における携帯電話機のブロック図である。
【図８】本発明の第二実施形態における順位決めの第一ステップを示すイメージ図である。
【図９】本発明の第二実施形態における順位決めの第二ステップを示すイメージ図である。
【図１０】本発明の第二実施形態における順位決めの第三ステップを示すイメージ図である。
【図１１】本発明の第二実施形態における順位決めの第四ステップを示すイメージ図である。
【図１２】本発明の第二実施形態における順位決めの第四ステップの変形例を示すイメージ図である。
【図１３】本発明の第二実施形態における順位決めの第五ステップを示すイメージ図である。
【図１４】本発明の第二実施形態における順位決めの第五ステップの変形例を示すイメージ図である。
【図１５】本発明の第三実施形態における携帯電話機のブロック図である。
【図１６】本発明の第三実施形態における通信システムを示すイメージ図である。
【符号の説明】
【００６２】
６…抽選実施部  ６ａ…抽選規則変更部  ６ｂ…順位決定部  １３…受信部  １３ａ…近距離受信部  ２３…送信部  ２３ａ…近距離送信部  ２３ｂ…送信規則変更部  １０，１１０，３１０…携帯電話機（携帯通信端末）
【図１】
2008078742.tif 000003
【図２】
2008078742.tif 000004
【図３】
2008078742.tif 000005
【図４】
2008078742.tif 000006
【図５】
2008078742.tif 000007
【図６】
2008078742.tif 000008
【図７】
2008078742.tif 000009
【図８】
2008078742.tif 000010
【図９】
2008078742.tif 000011
【図１０】
2008078742.tif 000012
【図１１】
2008078742.tif 000013
【図１２】
2008078742.tif 000014
【図１３】
2008078742.tif 000015
【図１４】
2008078742.tif 000016
【図１５】
2008078742.tif 000017
【図１６】
2008078742.tif 000018